(57)【要約】【課題】空気調和機本体外部への水漏れを防ぎ、ドレンポンプの振動が直接空気調和機本体に伝達するのを防止することができる空気調和機を提供する。【解決手段】熱交換器２で生成されるドレン水３を受け集留するドレンパン４と、ドレンパン４内のドレン水３を排出するためのドレンポンプ５とを内蔵した空気調和機本体１ａと、空気調和機本体１ａの一側板１０に設けた角穴（図示せず）に挿入され、複数個のネジ１２などで固定されると共に、ドレンポンプ５と連通する排水ホ−ス７を接続する接続口１３を有したドレンソケット８を具備し、角穴の下部に、空気調和機本体１ａ内部に向かって突出したフランジ１５を設けたもので、フランジ１５により、接続口１３からドレン水３が漏れても外部への水漏れを防ぎ、また、側板１０の角穴部の強度が上がり、ドレンポンプ５の振動が直接空気調和機本体１ａに伝達するのを防止することができる。【選択図】図１
2010210167.tif 000002
【特許請求の範囲】
【請求項１】
熱交換器と、冷房運転時に前記熱交換器で生成されるドレン水を受け集留するドレンパンと、前記ドレンパンに集留されたドレン水を吸上げて外部へ排出するためのドレンポンプとを内蔵した空気調和機本体と、前記空気調和機本体の一側板に設けられた角穴に挿入され、複数個のネジなどで固定されると共に、前記ドレンポンプと連通する排水ホ−スを接続する接続口を有したドレンソケットを具備し、前記角穴の下部に、前記空気調和機本体内部に向かって突出したフランジを設けたことを特徴とする空気調和機。
【請求項２】
フランジを、そのフランジで受けたドレン水をドレンパンの集留部の内側まで確実に導く寸法まで突出させたことを特徴とする請求項１に記載の空気調和機。
【請求項３】
側板の一部を折り曲げてフランジを形成すると共に、前記フランジを、ドレンパンの集留部内側に向かって斜め下方に傾斜させたことを特徴とする請求項１又は２に記載の空気調和機。
【発明の詳細な説明】
【技術分野】
【０００１】
本発明は、空気調和機に関するものである。
【背景技術】
【０００２】
例えば、天井埋め込み形の空気調和機の室内機等の場合、熱交換作用にともなって熱交換器にドレン水が生成されるため、熱交換器の下部に発泡スチロ−ル等で形成されたドレンパンと、前記ドレンパンに集留されたドレン水を外部に排出させるためドレンポンプを設けるのが一般的であった（例えば、特許文献１参照）。
【０００３】
図７は、上記特許文献１に記載された従来の空気調和機の側面図、図８は、同空気調和機のドレンポンプ部の断面図、図９は、同空気調和機のドレンソケットの取り付け詳細側面図、図１０は、同ドレンソケットの取り付け詳細正面図を示すものである。
【０００４】
図７から図１０に示すように、従来の空気調和機１を冷房運転させたとき、内部に配置された熱交換器２の熱交換作用にともない、熱交換器２に、ドレン水３が生成され、そのドレン水３を集留させるため、熱交換器２の下部にドレンパン４を備えている。前記ドレンパン４に集留されたドレン水３は、ドレンポンプ５により空気調和機１の外部に排出され、さらにドレンパン４に溜まったドレン水３の水位をフロ−トスイッチ６が検知し、フロ−トスイッチ６からの信号を検知して、ドレンポンプ５を停止させるようになっている。ドレンポンプ５で吸上げられたドレン水３は、排水ホ−ス７からドレンソケット８を通り、さらにドレンソケット８に接続された外部ドレン配管９を通り屋外へ排出される。
【０００５】
前記ドレンソケット８は、空気調和機１の空気調和機本体１ａ（以下、「本体１ａ」という）の側板１０に設けられた角穴１１に複数個のネジ１２で固定され、さらに前記排水ホ−ス７をドレンソケット８のドレン接続口１３に挿入させ、それらの接続部を固定バンド１４で固定している。
【特許文献１】特開平７−１４５９８６号公報
【発明の開示】
【発明が解決しようとする課題】
【０００６】
しかしながら、前記従来の空気調和機の構成では、熱交換器２で生成され、ドレンパン４に溜まったドレン水３をドレンポンプ５で上部へ吸上げ、屋外へ排出するとき、ドレンポンプ５とドレンソケット８の間を、排水ホ−ス７で接続した場合、前記排水ホ−ス７をドレンソケット８に接続した後、固定バンド１４を利用して固着しているため、ドレンポンプ５の駆動に伴って発生した振動が、排水ホ−ス７に伝わり、ドレンソケット８との接続部が緩み、ドレンポンプ５との接続部に隙間が生じて最悪の場合、ドレン水３が接続部より漏れて下部に滴下し、ドレンパン４と側板１０との隙間から、空気調和機１の本体１ａの外に漏れるという課題があった。また、前記ドレンソケット８は、本体１ａの側板１０に設けられた角穴１１に複数個のネジ１２で固定されるため、ドレンポンプ５の振動が側板１０に伝達し、本体１ａの振動が高くなるという課題を有していた。
【０００７】
本発明は、前記従来の課題を解決するもので、最悪排水ホ−スとドレンソケットの接続口からドレン水が漏れた場合でも、空気調和機外部への水漏れを防ぐことができ、また側板の角穴部の強度を上げることでドレンポンプの振動を直接空気調和機本体に伝達するのを防止することができる空気調和機を提供することを目的とする。
【課題を解決するための手段】
【０００８】
前記従来の課題を解決するために、本発明の空気調和機は、熱交換器と、冷房運転時に前記熱交換器で生成されるドレン水を受け集留するドレンパンと、前記ドレンパンに集留されたドレン水を吸上げて外部へ排出するためのドレンポンプとを内蔵した空気調和機本体と、前記空気調和機本体の一側板に設けられた角穴に挿入され、複数個のネジなどで固定されると共に、前記ドレンポンプと連通する排水ホ−スを接続する接続口を有したドレンソケットを具備し、前記角穴の下部に、前記空気調和機本体内部に向かって突出したフランジを設けたもので、最悪排水ホ−スとドレンソケットの接続口からドレン水が漏れた場合でも空気調和機外部への水漏れを防ぐことができ、また、フランジにより側板の角穴部の強度が上げるので、ドレンポンプの振動が直接空気調和機本体に伝達するのを防止することができる。
【発明の効果】
【０００９】
本発明の空気調和機は、フランジにより、最悪、排水ホ−スとドレンソケットの接続部からドレン水が漏れた場合でも、空気調和機本体の外部に漏れるのを防ぎ、また、側板の強度が上がるので、ドレンポンプからの振動が直接空気調和機本体に伝達するのを防止することができる。
【発明を実施するための最良の形態】
【００１０】
第１の発明は、熱交換器と、冷房運転時に前記熱交換器で生成されるドレン水を受け集留するドレンパンと、前記ドレンパンに集留されたドレン水を吸上げて外部へ排出するためのドレンポンプとを内蔵した空気調和機本体と、前記空気調和機本体の一側板に設けられた角穴に挿入され、複数個のネジなどで固定されると共に、前記ドレンポンプと連通する排水ホ−スを接続する接続口を有したドレンソケットを具備し、前記角穴の下部に、前記空気調和機本体内部に向かって突出したフランジを設けたもので、最悪排水ホ−スとドレンソケットの接続口からドレン水が漏れた場合でも空気調和機外部への水漏れを防ぐことができ、また、フランジにより側板の角穴部の強度が上げるので、ドレンポンプの振動が直接空気調和機本体に伝達するのを防止することができる。
【００１１】
第２の発明は、特に、第１の発明のフランジを、そのフランジで受けたドレン水をドレンパンの集留部の内側まで確実に導く寸法まで突出させたもので、最悪排水ホ−スとドレンソケットの接続口からドレン水が漏れた場合でも空気調和機外部への水漏れを防ぐことができ、また側板の角穴部の強度が上げるので、ドレンポンプの振動が直接空気調和機本体に伝達するのを防止し、さらにドレンソケットと排水ホ−スとの接続口から漏れたドレン水を前記ドレンパンの集留部に確実に導くことができる。
【００１２】
第３の発明は、特に、第１または第２の発明の側板の一部を折り曲げてフランジを形成すると共に、前記フランジを、ドレンパンの集留部内側に向かって斜め下方に傾斜させたもので、最悪排水ホ−スとドレンソケットの接続口からドレン水が漏れた場合でも空気調和機外部への水漏れを防ぐことができ、また側板の角穴部の強度が上げるので、ドレンポンプの振動が直接空気調和機本体に伝達するのを防止し、さらにドレンソケットと排水ホ−スとの接続口から漏れたドレン水を、傾斜したフランジで確実にドレンパンの集留部に導くことができる。
【００１３】
以下、本発明の実施の形態について図面を参照しながら説明する。なお、この実施の形態によって本発明が限定されるものではない。
【００１４】
（実施の形態１）
図１は、本発明の第１の実施の形態における空気調和機のドレンポンプ部分の断面図、図２は、同空気調和機のドレンソケットの取り付け詳細側面図、図３は、同ドレンソケットの取り付け詳細正面図、図４は、同空気調和機の側板の詳細断面図である。尚、上記従
来の空気調和機と同一部分には、同一符号を付してその説明を省略する。
【００１５】
図１〜４において、本実施の形態における空気調和機１を冷房運転したとき、内部に配置された熱交換器２の熱交換作用にともない、熱交換器２にドレン水３が生成され、そのドレン水３を集留させるため、熱交換器２の下部にドレンパン４を備えている。前記ドレンパン４に集留されたドレン水３は、ドレンポンプ５により空気調和機１の外部に排出され、さらにドレンパン４に溜まったドレン水３の水位をフロ−トスイッチ６が検知し、フロ−トスイッチ６からの信号を検知して、ドレンポンプ５を停止させる。ドレンポンプ５で吸上げられたドレン水３は、排水ホ−ス７からドレンソケット８を通り、さらにドレンソケット８に接続された、外部ドレン配管９を通り屋外へ排出される。
【００１６】
前記ドレンソケット８は、空気調和機１の本体１ａの一つの側板１０に設けられた角穴１１に挿入され、前記側板１０の角穴１１の周辺に設けられた複数個の穴１０ａにネジ１２で固定される。さらに、本実施の形態では、前記側板１０の角穴１１の下部に、本体１ａの内部に向かって突出したフランジ１５を一体に形成している。
【００１７】
以上のように構成された本実施の形態における空気調和機について、以下その動作、作用を説明する。
【００１８】
側板１０に設けられた角穴１１の下部に、本体１ａの内部に向かって突出したフランジ１５を配設したことにより、最悪、排水ホ−ス７とドレンソケット８の接続口１３からドレン水３が漏れた場合でも、空気調和機１の外部への水漏れを防ぐことができる。また、側板１０の角穴１１の下部にフランジ１５を設けることにより側板１０の強度が上がりドレンポンプ５の振動が直接空気調和機１の本体１ａに伝達するのを防止することができる。
【００１９】
（実施の形態２）
図５は、本発明の第２の実施の形態における空気調和機のドレンポンプ部分の断面図である。尚、上記実施の形態１における空気調和機と同一部分には、同一符号を付してその説明を省略する。
【００２０】
本実施の形態における空気調和機は、図５に示すように、側板１０の角穴１１の下部に設けたフランジ１５の突出代１５ａを、ドレンパン４の側板１０側の外壁４ｂの上端の厚み４ａより大きくして、万一接続口１３からドレン水３が漏れ出ても、そのドレン水３を集留部内側まで確実に導く寸法に設定、突出するように構成したものである。
【００２１】
以上のように構成された本実施の形態における空気調和機について、以下その動作、作用を説明する。
【００２２】
側板１０に設けられた角穴１１の下部に、空気調和機１の本体１ａの内部に向かって突出させたフランジ１５を設け、前記フランジ１５の突出代１５ａを、ドレンパン４の側板１０側の外壁４ｂの先端の厚み４ａより大きな寸法に設定して、集留部内側までドレン水を確実に導くように突出させることにより、最悪、排水ホ−ス７とドレンソケット８の接続口１３からドレン水３が漏れた場合でも、その漏れたドレン水３を前記ドレンパン４の集留部に確実に導いて、空気調和機１の外部への水漏れを防ぐことができる。
【００２３】
また、フランジ１５により、側板１０の角穴１１部の強度が上るので、ドレンポンプ５の振動が直接空気調和機１の本体１ａに伝達するのを防止することが出来る。
【００２４】
（実施の形態３）
図６は、本発明の第３の実施の形態における空気調和機の側板の詳細断面図である。尚、上記実施の形態における空気調和機と同一部分には、同一符号を付してその説明を省略する。
【００２５】
図６において、本実施の形態における空気調和機は、側板１０の一部を折り曲げて、角穴１１の下部に本体１ａ内部に向かって突出するフランジ１５を形成すると共に、そのフランジ１５を、ドレンパン４の集留部内側に向かって斜め下方に傾斜させたものである。
【００２６】
以上のように構成された本実施の形態における空気調和機について、以下その動作、作用を説明する。
【００２７】
前記側板１０に設けられた角穴１１の下部に空気調和機１の本体１ａの内部に向かって突出するフランジ１５を設け、そのフランジ１５を、ドレンパン４の集留部内側に向かって斜め下方に傾斜させたことにより、最悪排水ホ−ス７とドレンソケット８の接続口１３からドレン水３が漏れた場合でも、空気調和機１の外部への水漏れを防ぐことができ、また側板１０の角穴１１部の強度が上げるので、ドレンポンプ５の振動が、直接空気調和機１の本体１ａに伝達するのを防止し、さらにドレンソケット８と排水ホ−ス７との接続口１３から漏れたドレン水３を、確実にドレンパン４の集留部に導くことができるものである。
【産業上の利用可能性】
【００２８】
以上のように、本発明に係る空気調和機は、フランジにより、最悪排水ホ−スとドレンソケットの接続口からドレン水が漏れた場合でも空気調和機外部への水漏れを防ぐことができ、また側板の角穴部の強度が上がるので、ドレンポンプの振動が直接空気調和機本体に伝達するのを防止することが可能になるもので、ドレンポンプを有した空気調和機に適用できる。
【図面の簡単な説明】
【００２９】
【図１】本発明の第１の実施の形態における空気調和機のドレンポンプ部分の断面図
【図２】同空気調和機のドレンソケットの取り付け詳細側面図
【図３】同ドレンソケットの取り付け詳細正面図
【図４】同空気調和機の側板の詳細断面図
【図５】本発明の第２の実施の形態における空気調和機のドレンポンプ部分の断面図
【図６】本発明の第３の実施の形態における空気調和機の側板の詳細断面図
【図７】従来の空気調和機の側面図
【図８】同空気調和機のドレンポンプ部の断面図
【図９】同空気調和機のドレンソケットの取り付け詳細側面図
【図１０】同ドレンソケット取り付け詳細正面図
【符号の説明】
【００３０】
１  空気調和機
１ａ  空気調和機本体（本体）
２  熱交換器
３  ドレン水
４  ドレンパン
４ａ  厚み
４ｂ  外壁
５  ドレンポンプ
６  フロ−トスイッチ
７  排水ホ−ス
８  ドレンソケット
９  外部ドレン配管
１０  側板
１１  角穴
１２  ネジ
１３  接続口
１４  固定バンド
１５  フランジ
１５ａ  突出代
【図１】
2010210167.tif 000003
【図２】
2010210167.tif 000004
【図３】
2010210167.tif 000005
【図４】
2010210167.tif 000006
【図５】
2010210167.tif 000007
【図６】
2010210167.tif 000008
【図７】
2010210167.tif 000009
【図８】
2010210167.tif 000010
【図９】
2010210167.tif 000011
【図１０】
2010210167.tif 000012